(57)【特許請求の範囲】
【請求項１】
入浴者を乗せる乗座部と該乗座部を保持し移動させる台車部とからなり、該乗座部だけを該台車部から分離させて、側面又は正面の一部が開口する浴槽内に摺動移動させ、該入浴者を該乗座部に乗ったまま入浴可能な状態にする入浴装置用車椅子において、
該台車部が、該乗座部の下部の前後それぞれ２点を保持する保持部を備え、
該乗座部が、該台車部の保持部の上で摺動する摺動部を備え、
該乗座部を保持した該台車部が、該浴槽内に向かって後退して該乗座部が該台車部の保持部上を摺動中に該乗座部の後方が下降したとき、該台車部の後方の保持部が嵌まり込んで該乗座部の摺動を制限するための嵌合溝を該摺動部に有することを特徴とする入浴装置用車椅子。
【請求項２】
前記乗座部の該摺動部の嵌合溝の上方の一部が開口され、
前記台車部の後方の保持部が嵌まり込んだ状態で、該保持部の該嵌合溝に嵌まり込んだ端部が、該嵌合溝の開口から露出することを特徴とする請求項１記載の入浴装置用車椅子。
【請求項３】
前記乗座部を保持した前記台車部が、前記浴槽内に向かって後退して該乗座部が該台車部の前記保持部上を摺動中に該乗座部の後方が下降したとき、該浴槽の端部に当接して該乗座部の摺動を制限するための当接部を、該乗座部の後下端に備えることを特徴とする請求項１又は請求項２記載の入浴装置用車椅子。
【発明の詳細な説明】
【技術分野】
【０００１】
本発明は、入浴者が乗ったまま入浴可能な状態にする入浴装置用車椅子に関する。
【背景技術】
【０００２】
従来より、入浴者を乗せる乗座部と乗座部を保持し移動させる台車部とからなり、乗座部だけを台車部から分離させて、側面又は正面の一部が開口する浴槽内に摺動移動させ、入浴者を乗座部に乗ったまま入浴可能な状態にする入浴装置用車椅子が用いられている（例えば特許文献１参照）。
【０００３】
従来の入浴装置用車椅子は、例えば、図５に示すような構造のものがある。この図５に示す入浴装置用車椅子２は、図５（ａ）で示すように、入浴者を乗せる乗座部３０と乗座部３０を保持し移動させる台車部１０とからなり、乗座部３０だけを台車部１０から分離させて、側面又は正面の一部が開口する浴槽内に摺動移動させ、入浴者を乗座部３０に乗ったまま入浴可能な状態にするものである。この入浴装置用車椅子２は、台車部１０が、乗座部３０の下部の前後それぞれ２点を保持する保持部１６，１８を備え、また、乗座部３０が、台車部１０の保持部１６，１８の上で摺動する摺動部３４，６０を備えている。
【０００４】
そして、乗座部３０を保持した台車部１０が、浴槽内に向かって後退して（図５（ａ）の矢印方向）、乗座部３０が台車部１０の保持部１６，１８上を摺動して、乗座部３０が台車部１０から分離されつつ、乗座部３０が浴槽内に入っていく構造である。
【先行技術文献】
【特許文献】
【０００５】
【特許文献１】特開２００８−１９４１８３号公報
【発明の概要】
【発明が解決しようとする課題】
【０００６】
しかしながら、従来の上述のような入浴装置用車椅子２では、操作者が、乗座部３０を急激に摺動させたり、浴槽との位置が不完全のまま乗座部３０を摺動させると、乗座部３０が台車部１０の保持部１６，１８上を正しく摺動せず、乗座部３０の後方が保持部１６，１８から外れるような事態が発生し、入浴者が乗座部３０に座った状態のまま、急に乗座部３０が台車部１０に向かって落ちてしまう場合がある。図５に示す入浴装置用車椅子２では、台車部１０が浴槽の下側に収納されつつ乗座部３０を分離する構造のため、台車部１０の後方の保持部１８が、乗座部３０の摺動に合わせて折りたたまれる構造であるが、乗座部３０が正しく摺動されないと、図５（ｂ）に示すように、浴槽に乗座部３０が至っていないにも関わらず台車部１０の保持部１８が折りたたまれ、より一層激しく乗座部３０が落ち込んでしまう事態が発生しかねない。
【０００７】
本発明は、このような事情に鑑みてなされたもので、乗座部が台車部上を摺動中に乗座部の後方が下降してしまったとき、乗座部が不正規に下降した状態のままでの摺動が制限される入浴装置用車椅子を提供することにある。
【課題を解決するための手段】
【０００８】
請求項１記載の入浴装置用車椅子は、台車部が、乗座部の下部の前後それぞれ２点を保持する保持部を備え、乗座部が、台車部の保持部の上で摺動する摺動部を備え、乗座部を保持した台車部が、浴槽内に向かって後退して乗座部が台車部の保持部上を摺動中に乗座部の後方が下降したとき、台車部の後方の保持部が嵌まり込んで乗座部の摺動を制限するための嵌合溝を摺動部に有することを特徴とする。
【０００９】
請求項２記載の入浴装置用車椅子は、乗座部の摺動部の嵌合溝の上方の一部が開口され、台車部の後方の保持部が嵌まり込んだ状態で、保持部の嵌合溝に嵌まり込んだ端部が、嵌合溝の開口から露出することを特徴とする。
【００１０】
請求項３記載の入浴装置用車椅子は、乗座部を保持した台車部が、浴槽内に向かって後退して乗座部が台車部の保持部上を摺動中に乗座部の後方が下降したとき、浴槽の端部に当接して乗座部の摺動を制限するための当接部を、乗座部の後下端に備えることを特徴とする。
【発明の効果】
【００１１】
本願の発明によれば、乗座部を保持した台車部が、浴槽内に向かって後退して乗座部が台車部の保持部上を摺動中に乗座部の後方が下降したとき、台車部の後方の保持部が嵌まり込んで乗座部の摺動を制限するための嵌合溝を摺動部に有することから、乗座部が台車部上を摺動中に乗座部の後方が下降してしまったとき、乗座部が不正規に下降した状態のままでの摺動が制限される。
【図面の簡単な説明】
【００１２】
【図１】本発明に係る入浴装置用車椅子の構造を示す参考図である。
【図２】同入浴装置用車椅子の正規な動作を示す説明図である。
【図３】同入浴装置用車椅子の不正規な動作を示す説明図である。
【図４】同入浴装置用車椅子の不正規な動作を示す説明図である。
【図５】従来の入浴装置用車椅子の動作を示す説明図である。
【発明を実施するための形態】
【００１３】
以下、本発明の形態について図面を参照しながら具体的に説明する。図１は、本発明に係る入浴装置用車椅子の構造を示す参考図である。図２は、同入浴装置用車椅子の正規な動作を示す説明図である。図３及び図４は、同入浴装置用車椅子の不正規な動作を示す説明図である。
【００１４】
本発明に係る入浴装置用車椅子１は、入浴者を乗せる乗座部３０と乗座部３０を保持し移動させる台車部１０とからなり、乗座部３０だけを台車部１０から分離させて、側面又は正面の一部が開口する浴槽部４の浴槽５０内の浴槽底面５０ａに摺動移動させ、入浴者を乗座部３０に乗ったまま入浴可能な状態にするものである。入浴装置用車椅子１の台車部１０は、略正方形状の基台１２の四方に下向きに車輪１４を有し、床面を走行可能になっている。そして、台車部１０の基台１２の前方２箇所及び後方２箇所から、略棒状の保持部１６，１８が起立している。尚、入浴装置用車椅子１では、台車部１０が浴槽部４の下側に収納されつつ乗座部３０を分離する構造のため、台車部１０の後方の保持部１８が、乗座部３０の摺動に合わせて折りたたまれる構造である。
【００１５】
入浴装置用車椅子１の乗座部３０は、略正方形状の基台３２の上に、椅子状の座部３８が設けられ、入浴者が座ることが可能な構造になっている。また、乗座部３０の基台３２の前方２箇所及び後方２箇所には、乗座部３０が、台車部１０の保持部１６，１８の上で摺動する摺動部３４，３６を備えている。乗座部３０の後方の摺動部３６は、側面視略コ字状で、台車部１０の保持部１８の上端（本実施の形態では、保持部１８の上端にさらにローラ１８ａがもうけられ、そのローラ１８ａ）が、摺動部３６の上面に接して摺動するようになっている。さらに、摺動部３６の上面の乗座部３０が台車部１０の後方方向に摺動する途中の位置に、台車部１０の保持部１８の上端（本実施の形態では、保持部１８の上端にさらにローラ１８ａがもうけられ、そのローラ１８ａ）が嵌まり込むことが可能な嵌合溝３６ａが穿設されている。また、乗座部３０の基台３２の後端には、車輪４０が設けられると共に、後下端にブロック状の当接部４２を備えている。
【００１６】
次に、以上のような構造の入浴装置用車椅子１の動作を説明する。図２の矢印方向に示すように、入浴者が乗座部３０に座った状態で、入浴装置用車椅子１を浴槽部４の浴槽５０内に向かって後退させすると、乗座部３０の車輪４０が浴槽底面５０ａに乗り、さらに、入浴装置用車椅子１を後方に移動させると、乗座部３０が台車部１０の保持部１６，１８上を摺動して、さらに乗座部３０が浴槽底面５０ａと台車部１０を摺動して、最終的には、乗座部３０が台車部１０から分離されて、浴槽５０内に移動される。この状態で、浴槽５０の周囲を塞いで浴槽５０に湯を張ることで、入浴者が、乗座部３０に座ったままで入浴が可能になる。
【００１７】
しかしながら、操作者が、乗座部３０を急激に摺動させたり、浴槽部４との位置が不完全のまま乗座部３０を摺動させると、乗座部３０が台車部１０の保持部１６，１８上を正しく摺動せず、乗座部３０の後方が下降してしまう場合がある（図３のＡ分）。この乗座部３０を保持した台車部１０が、浴槽５０内に向かって後退して乗座部３０が台車部１０の保持部１６，１８上を摺動中に乗座部３０の後方が下降したとき、台車部１０の後方の保持部１８の上端（本実施の形態では、保持部１８の上端にさらにローラ１８ａがもうけられ、そのローラ１８ａ）が、摺動部３６の嵌合溝３６ａに嵌まり込んで乗座部３０の摺動を制限することになる（図３参照）。これにより、乗座部３０が不正規に下降した状態のままでの摺動が制限されることになる。
【００１８】
また、乗座部３０の摺動部３６の嵌合溝３６ａの上方の一部が開口され、台車部１０の後方の保持部１８が嵌まり込んだ状態で、保持部１８の嵌合溝３６ａに嵌まり込んだ端部（本実施の形態ではローラ１８ａ）が、嵌合溝３６ａの開口から露出するようになっている。操作者は、乗座部３０が急に摺動しなくなった場合に、入浴装置用車椅子１の上方から、嵌合溝３６ａの開口を見ることで、この開口に保持部１８の端部（本実施の形態ではローラ１８ａ）が嵌まり込んで見えれば、乗座部３０が不正規に下降した状態になっていることを容易に知ることができ、速やかな復旧に繋がる。
【００１９】
さらに、入浴装置用車椅子１は、乗座部３０を保持した台車部１０が、浴槽５０内に向かって後退して乗座部３０が台車部１０の保持部１６，１８上を摺動中に乗座部の後方が下降したとき、図４に示すように、乗座部３０の後下端に設けられた当接部４２が、浴槽５０の端部に当接して乗座部３０の摺動を制限する。これにより、当接部４２を設けることで、乗座部３０が不正規に下降した状態になったまま、乗座部３０が浴槽５０内に進入することを防止することが可能となる。
【産業上の利用可能性】
【００２０】
以上のように、本発明によれば、乗座部が台車部上を摺動中に乗座部の後方が下降してしまったとき、乗座部が不正規に下降した状態のままでの摺動が制限される入浴装置用車椅子を提供することができる。
【符号の説明】
【００２１】
１・・・・・入浴装置用車椅子
２・・・・・入浴装置用車椅子
４・・・・・浴槽部
１０・・・・台車部
１２・・・・基台
１４・・・・車輪
１６・・・・保持部
１８・・・・保持部
１８ａ・・・ローラ
３０・・・・乗座部
３２・・・・基台
３４・・・・摺動部
３６・・・・摺動部
３６ａ・・・嵌合溝
３８・・・・座部
４０・・・・車輪
４２・・・・当接部
５０・・・・浴槽
５０ａ・・・浴槽底面
６０・・・・摺動部
【図１】
0006617017.tif 000002
【図２】
0006617017.tif 000003
【図３】
0006617017.tif 000004
【図４】
0006617017.tif 000005
【図５】
0006617017.tif 000006